(57)【特許請求の範囲】
【請求項１】
建物本体上に横並びで設けられ、野地板を載置した状態で支持する複数の屋根トラスと、
隣り合う２つの屋根トラスの間に設けられ、前記屋根トラスと平面視で平行となる向きで配置された屋根裏界壁と、を備える建物の屋根構造において、
前記屋根裏界壁の上方を跨いで設けられ、当該屋根裏界壁を挟んで隣り合う前記２つの屋根トラスを連結するトラス連結材を備え、
前記屋根トラスは、上弦材及び下弦材を含んで構成され、前記上弦材の上面部に前記野地板が載置されており、
前記屋根裏界壁は、界壁フレームと、当該界壁フレームを挟んで両側にそれぞれ設けられた一対の壁面材とを備え、
前記界壁フレームは、前記上弦材に対して平行に延びるとともに上面部が当該上弦材の上面部よりも低い位置に設定された斜材を有し、
前記トラス連結材は、前記斜材上に載置されて当該斜材に連結されているとともに、両端部が前記屋根裏界壁を挟んで隣り合う２つの屋根トラスの各上弦材の側面部にそれぞれ連結されていることを特徴とする建物の屋根構造。
【請求項２】
前記トラス連結材の上面部は前記上弦材の上面部と同一平面上に位置しており、前記野地板が載置される載置面部となっていることを特徴とする請求項１に記載の建物の屋根構造。
【請求項３】
前記屋根裏界壁を挟んで隣り合う各屋根トラスの上弦材において互いに対向する各側面部にはそれぞれ当該上弦材に沿って屋根傾斜方向に延びる傾斜フレーム材が固定されており、
前記トラス連結材は、前記屋根傾斜方向に沿って所定の間隔で複数配置され、両端部がそれぞれ前記各傾斜フレーム材に連結されていることを特徴とする請求項１又は２に記載の建物の屋根構造。
【請求項４】
前記斜材上において前記トラス連結材が連結された連結部位とは異なる部位に前記野地板を下方から支持する野地板支持材が取り付けられていることを特徴とする請求項１乃至３のいずれか一項に記載の建物の屋根構造。
【請求項５】
前記斜材上には、前記野地板支持材と前記トラス連結材とがそれぞれ複数ずつ設けられ、それら複数の野地板支持材と複数のトラス連結材とが当該斜材の長手方向に沿って交互に並べて配置されていることを特徴とする請求項４に記載の建物の屋根構造。
【請求項６】
前記トラス連結材は、前記屋根トラスの上弦材に沿った屋根傾斜方向において所定の間隔で複数配置されており、
前記複数のトラス連結材と、それら各トラス連結材上に跨がって設けられた野地板とを含んで界壁上屋根パネルが構成されており、
前記界壁上屋根パネルにおいて、前記野地板は、前記トラス連結材の両端に対してそれぞれ側方に延出し前記屋根裏界壁を挟んで隣り合う２つの屋根トラスの上弦材上に引っ掛けられる一対の引っ掛け部を有しており、
それら各引っ掛け部がそれぞれ前記上弦材上に引っ掛けられることで、前記界壁上屋根パネルが前記２つの屋根トラスの間に架け渡されていることを特徴とする請求項１乃至５のいずれか一項に記載の建物の屋根構造。
【請求項７】
前記トラス連結材は第１トラス連結材であり、
前記屋根裏界壁を挟まずに隣り合う２つの屋根トラスの上弦材の側面部同士を連結する第２トラス連結材を備えることを特徴とする請求項１乃至６のいずれか一項に記載の建物の屋根構造。
【発明の詳細な説明】
【技術分野】
【０００１】
本発明は、建物の屋根構造に関する。
【背景技術】
【０００２】
建物の屋根構造として、建物本体上に複数の屋根トラスが所定間隔で横並びに配設されるとともに、それら複数の屋根トラス上に野地板等の屋根板が設置されることで屋根が構成されているものがある（例えば特許文献１参照）。この種の屋根構造では、各屋根トラスの転倒防止を図る等の目的で、各屋根トラスがつなぎ材や雲筋交い等の連結材を介して互いに連結されている。かかる連結材は、各屋根トラスに対してトラスの内側で連結されて、屋根トラス上での野地板の設置の邪魔とならないようになっている。
【０００３】
ところで、建物が複数の住戸を有する集合住宅からなる場合には、隣り合う住戸の間に界壁が設けられる。界壁は、住戸間の延焼を抑制する耐火性能や、住戸間の音漏れを抑制する防音性能などを確保するためのものであり、居室空間だけでなく屋根裏空間にも設けられる。ここで屋根トラスを備える上述の屋根構造において、屋根裏空間に界壁が設けられる場合、その界壁（以下、屋根裏界壁という）が例えば屋根トラスを用いて構築されることが考えられる。具体的には、屋根トラスを挟んだ両面側に耐火性能を有する石膏ボードが貼り付けられることで屋根裏界壁が構築されることが考えられる。
【先行技術文献】
【特許文献】
【０００４】
【特許文献１】特開２００８−２２３２９９号公報
【発明の概要】
【発明が解決しようとする課題】
【０００５】
上述した屋根トラスを用いた屋根裏界壁では、トラスの内側に連結材が配置されているため、屋根トラスの両面に石膏ボードを貼り付ける際、石膏ボードが連結材と干渉しないように石膏ボードに切り欠きを設ける加工作業が発生する。そのため、施工工数の増大が懸念される。また、石膏ボードを屋根トラスに貼り付けた後は、切り欠き部分において石膏ボードと連結材との間に隙間が発生するおそれがあり、その場合その隙間をロックウール等の耐火材で閉塞する作業が発生しうる。そのため、この点からも施工工数の増大が懸念される。
【０００６】
本発明は、上記事情に鑑みてなされたものであり、屋根裏界壁を構築する上で施工工数の低減を図ることができる建物の屋根構造を提供することを主たる目的とするものである。
【課題を解決するための手段】
【０００７】
上記課題を解決すべく、第１の発明の建物の屋根構造は、建物本体上に横並びで設けられ、野地板を載置した状態で支持する複数の屋根トラスと、隣り合う２つの屋根トラスの間に設けられ、前記屋根トラスと平面視で平行となる向きで配置された屋根裏界壁と、を備える建物の屋根構造において、前記屋根裏界壁の上方を跨いで設けられ、当該屋根裏界壁を挟んで隣り合う前記２つの屋根トラスを連結するトラス連結材を備え、前記屋根裏界壁は、界壁フレームと、当該界壁フレームを挟んで両側にそれぞれ設けられた一対の壁面材とを備え、前記トラス連結材は、前記界壁フレームに連結されていることを特徴とする。
【０００８】
本発明によれば、屋根裏界壁を挟んで隣り合う屋根トラス同士がトラス連結材を介して互いに連結されているとともに、当該トラス連結材には屋根裏界壁の界壁フレームが連結されている。つまり、２つの屋根トラスと屋根裏界壁との３者がトラス連結材を介して互いに連結されている。そのため、これら３者の転倒防止が図られている。そして、このトラス連結材は、屋根裏界壁の上方を跨いで設けられているため、屋根裏界壁において界壁フレームに石膏ボード等の壁面材を取り付けるにあたりトラス連結材が邪魔になることがない。したがって、壁面材を界壁フレームに取り付けるにあたり、壁面材にトラス連結材との干渉を回避するための切り欠きを形成する加工作業を行わなくて済むため、屋根裏界壁を構築する上で施工工数の低減を図ることができる。
【０００９】
ところで、通常、屋根裏界壁の下方には居室界壁が設けられる。つまり、隣接する住戸の居室空間同士を仕切る居室界壁と、隣接する住戸の屋根裏空間同士を仕切る屋根裏界壁とが上下に並んで設けられる。ここで、上記のトラス連結材を屋根裏界壁の下方に配置する構成としても、トラス連結材が壁面材と干渉するのを回避することは可能である。しかしながら、その場合、トラス連結材が居室界壁と屋根裏界壁との境界部に配置されることとなるため、それら各界壁の連続性がトラス連結材によって断たれてしまうこととなる。そのため、耐火性能の面で不利となる。この点、トラス連結材を屋根裏界壁の上方に配置する上記の構成によれば、屋根裏界壁と居室界壁との連続性を確保することができるため、かかる不都合を回避しつつ上述の効果を得ることができる。
【００１０】
第２の発明の建物の屋根構造は、第１の発明において、前記屋根トラスは、上弦材及び下弦材を含んで構成され、前記上弦材の上面部に前記野地板が載置されており、前記界壁フレームは、前記上弦材に対して平行に延びるとともに上面部が当該上弦材の上面部よりも低い位置に設定された斜材を有し、前記トラス連結材は、前記斜材上に載置されて当該斜材に連結されているとともに、両端部が前記屋根裏界壁を挟んで隣り合う２つの屋根トラスの各上弦材の側面部にそれぞれ連結されていることを特徴とする。
【００１１】
本発明によれば、トラス連結材の両端部がそれぞれ屋根裏界壁を挟んで隣り合う２つの屋根トラスの上弦材の側面部に連結されているため、トラス連結材を上弦材と同じ高さ位置に配置することが可能となる。したがって、例えば上弦材上及びトラス連結材上に跨がって野地板を設置することが可能となる。
【００１２】
第３の発明の建物の屋根構造は、第２の発明において、前記トラス連結材の上面部は前記上弦材の上面部と同一平面上に位置しており、前記野地板が載置される載置面部となっていることを特徴とする。
【００１３】
本発明によれば、屋根裏界壁と屋根トラスとを連結する連結部材であるトラス連結材を、野地板を載置するための支持部材として兼用することができる。そのため、トラス連結材の多機能化を図ることが可能となる。また、野地板の荷重をトラス連結材を介して屋根裏界壁に伝えることができるため、屋根裏界壁によっても野地板の荷重の一部を支えることができる。そのため、屋根裏界壁の設置箇所だけ野地板の支持強度が低下してしまうのを抑制することができる。
【００１４】
第４の発明の建物の屋根構造は、第２又は第３の発明において、前記屋根裏界壁を挟んで隣り合う各屋根トラスの上弦材において互いに対向する各側面部にはそれぞれ当該上弦材に沿って屋根傾斜方向に延びる傾斜フレーム材が固定されており、前記トラス連結材は、前記屋根傾斜方向に沿って所定の間隔で複数配置され、両端部がそれぞれ前記各傾斜フレーム材に連結されていることを特徴とする。
【００１５】
本発明によれば、屋根裏界壁を挟んで隣り合う各屋根トラスの上弦材の側面部にそれぞれ傾斜フレーム材が固定され、それら各傾斜フレーム材の間に複数のトラス連結材が所定の間隔で架け渡されている。この場合、それら各トラス連結材の両端部がそれぞれ傾斜フレーム材に連結されて、複数のトラス連結材と各傾斜フレーム材とにより屋根フレームが構築され、この屋根フレームを介して隣り合う屋根トラスの上弦材同士が連結される。そのため、屋根トラス同士を強固に連結することができる。また、かかる屋根フレームは屋根裏界壁の界壁フレームにも連結されるため、屋根裏界壁の支持強度を高めることもできる。
【００１６】
第５の発明の建物の屋根構造は、第２乃至第４のいずれかの発明において、前記斜材上において前記トラス連結材が連結された連結部位とは異なる部位に前記野地板を下方から支持する野地板支持材が取り付けられていることを特徴とする。
【００１７】
本発明によれば、屋根裏界壁の斜材上にトラス連結材を配置すべく、斜材の上面部を野地板が載置される屋根トラスの上弦材の上面部よりも低くした構成において、斜材上に野地板支持材を設けたため、同支持材により野地板を支持することができる。つまり、野地板の荷重を野地板支持材を介して屋根裏界壁により支持することができる。そのため、屋根裏界壁の設置部分だけ野地板の支持強度が低下してしまうのを抑制することができる。
【００１８】
第６の発明の建物の屋根構造は、第５の発明において、前記斜材上には、前記野地板支持材と前記トラス連結材とがそれぞれ複数ずつ設けられ、それら複数の野地板支持材と複数のトラス連結材とが当該斜材の長手方向に沿って交互に並べて配置されていることを特徴とする。
【００１９】
本発明によれば、界壁フレームの斜材上において複数のトラス連結材と複数の野地板支持材とがそれぞれ斜材の長手方向（換言すると屋根の傾斜方向）に沿って交互に並べられているため、各トラス連結材の配置間隔（ピッチ）を野地板支持材の長さ（詳しくは屋根傾斜方向の長さ）によって規定することができる。この場合、施工に際してまず界壁フレームの斜材上に各野地板支持材を取り付け、その後各トラス連結材を斜材上において隣り合う野地板支持材同士の間にそれぞれ配置していけば、各トラス連結材の設置位置が自ずと定まる。そのため、トラス連結材の設置に際し同連結材の位置決め作業が不要となる。これにより、複数のトラス連結材を設置する構成にあって、トラス連結材の設置作業を容易なものとすることができる。
【００２０】
また、複数のトラス連結材とそれら各トラス連結材上に跨がって設けられた野地板とを含んで界壁上屋根パネルを構成し、その屋根パネルを隣り合う各屋根トラス間に架け渡すことで複数のトラス連結材を各屋根トラス間に配置する構成においては、界壁上屋根パネルを各屋根トラスの間に架け渡した状態において各トラス連結材がそれぞれ隣り合う野地板支持材の間に配置されるため、界壁上屋根パネルが屋根の傾斜に沿ってずれ落ちるのを防止することができる。このため、界壁上屋根パネルの設置に際し、当該屋根パネルをずれ落ちないように支えるといった手間がなくなり設置作業を好適に行うことができる。
【００２１】
第７の発明の建物の屋根構造は、第２乃至第６のいずれかの発明において、前記トラス連結材は、前記屋根トラスの上弦材に沿った屋根傾斜方向において所定の間隔で複数配置されており、前記複数のトラス連結材と、それら各トラス連結材上に跨がって設けられた野地板とを含んで界壁上屋根パネルが構成されており、前記界壁上屋根パネルにおいて、前記野地板は、前記トラス連結材の両端に対してそれぞれ側方に延出し前記屋根裏界壁を挟んで隣り合う２つの屋根トラスの上弦材上に引っ掛けられる一対の引っ掛け部を有しており、それら各引っ掛け部がそれぞれ前記上弦材上に引っ掛けられることで、前記界壁上屋根パネルが前記２つの屋根トラスの間に架け渡されていることを特徴とする。
【００２２】
本発明によれば、複数のトラス連結材と、野地板とを含んで界壁上屋根パネルが構成されているため、予め製造工場において界壁上屋根パネルを製造しておくことで、施工時にはその界壁上屋根パネルを屋根裏界壁を挟んで隣り合う２つの屋根トラス間に設置するだけで複数のトラス連結材を一挙に屋根トラス間に配設することができる。これにより、トラス連結材を複数用いる構成にあって施工工数を大いに削減することができる。
【００２３】
また、界壁上屋根パネルの野地板に設けられた各引っ掛け部をそれぞれ各屋根トラス上に引っ掛けることで、界壁上屋根パネルを各屋根トラス間に架け渡すことができるため、施工時にはかかる架け渡し状態で界壁上屋根パネルを屋根トラスや屋根裏界壁に連結する作業を行うことができる。これにより、施工作業をより一層容易なものとすることができる。
【００２４】
第８の発明の建物の屋根構造は、第２乃至第７のいずれかの発明において、前記トラス連結材は第１トラス連結材であり、前記屋根裏界壁を挟まずに隣り合う２つの屋根トラスの上弦材の側面部同士を連結する第２トラス連結材を備えることを特徴とする。
【００２５】
本発明によれば、屋根裏界壁を挟まずに隣り合う屋根トラスの上弦材の側面部同士が第２トラス連結材を介して連結されている。すなわち、屋根裏界壁を挟まずに隣り合う屋根トラスの連結についても、屋根裏界壁を挟んで隣り合う屋根トラスの連結と同様に、トラスの上弦材の側面部同士を連結材を介して連結する構成となっている。この場合、隣り合う屋根トラスの連結構成をそれら両者の間に屋根裏界壁が存在するか否かにかかわらず同じとすることができるため、施工作業性の点から好都合な構成といえる。
【図面の簡単な説明】
【００２６】
【図１】建物における屋根部周辺を示す正面図。
【図２】屋根部の構成を示す斜視図。
【図３】（ａ）が屋根裏界壁の構成を示す正面図、（ｂ）が同構成を示す横断面図である。
【図４】界壁上屋根パネルの背面図。
【図５】界壁上屋根パネルの設置構成を示す断面図。
【図６】屋根トラスと屋根裏界壁とが並んだ状態を示す正面図。
【図７】他の実施形態における屋根部の構成を示す斜視図。
【図８】他の実施形態における界壁上屋根パネルの背面図。
【発明を実施するための形態】
【００２７】
以下に、本発明を具体化した一実施の形態について図面を参照しつつ説明する。本実施形態では、建物として複数の住戸を有するアパート等の集合住宅を想定している。また、本実施形態では、建物を枠組壁工法により構築されたスチールハウスとして具体化している。なお、図１は建物における屋根部周辺を示す正面図であり、図２は屋根部１２の構成を示す斜視図である。
【００２８】
図１に示すように、建物１０は、建物本体１１と、その上方に設けられた屋根部１２とを備える。建物１０には複数の住戸１４が設けられており、それら各住戸１４が建物１０の桁行方向（以下、建物桁方向ともいう）に沿って並んで配置されている。各住戸１４はそれぞれ住戸内空間として、建物本体１１に形成された居室空間１５と、屋根部１２に形成された屋根裏空間１６とを備える。
【００２９】
隣接する住戸１４同士の間には界壁１８（戸境壁）が設けられている。界壁１８は、隣接する住戸１４同士を互いに仕切るものである。この界壁１８によって隣接する住戸１４間における耐火性能や防音性能が確保されるようになっている。界壁１８は、居室空間１５の床面から屋根裏空間１６に亘って上下に延びるように設けられ、隣り合う住戸１４の居室空間１５同士を仕切る居室界壁１９と、隣り合う住戸１４の屋根裏空間１６同士を仕切る屋根裏界壁２０とを備える。
【００３０】
図２に示すように、建物本体１１には、その外周部に沿って複数の外壁パネル２１が設けられている。なお、図１では外壁パネル２１の図示を省略している。外壁パネル２１は、外壁面材２２と、その裏面側に固定された外壁フレーム２３とを備える。外壁フレーム２３は、上下方向に延びる複数のスタッド２４と、これら各スタッド２４の上下の端部同士を横方向に連結する一対のランナ（図示略）とを備える。外壁パネル２１上には、複数の外壁パネル２１に跨がって建物桁方向に延びる軒桁２５が載置されている。
【００３１】
屋根部１２は、切り妻式の屋根として構成されている。屋根部１２は、建物本体１１上に建物桁方向に沿って横並びで設けられた複数の屋根トラス３０と、それら屋根トラス３０上に架け渡されて設けられた複数の野地板４０とを備える。なお、図２では便宜上、屋根部１２において棟２７を挟んだ両側の各傾斜屋根部２８のうち一方側（図２の紙面手前側）の傾斜屋根部２８については野地板４０の図示を省略している。
【００３２】
屋根トラス３０は、屋根の傾斜方向に沿って異なる方向に延びる一対の上弦材３１と、それら各上弦材３１の下部に跨がって延びる下弦材３２と、上弦材３１及び下弦材３２の間に設けられる斜材３３及び束材３４を備え、これら各トラス材３１〜３４が互いに連結されることにより構成されている。屋根トラス３０は、全体として略二等辺三角形状をなしており、いわゆるキングポストトラスとして構成されている。
【００３３】
上弦材３１、下弦材３２、斜材３３及び束材３４はいずれもリップ溝形鋼（いわゆるＣ形鋼）により構成されている。上弦材３１と下弦材３２とはそれぞれ溝開口を横方向（換言すると屋根トラス３０の短手方向）に向けて配置されており、ガセットプレート３５を介して互いに連結されている。また、各上弦材３１はそれぞれ下端側が下弦材３２よりも斜め下向きに延出しており、その延出した部分が屋根部１２の軒先部分を構成するものとなっている。かかる構成の屋根トラス３０は、下弦材３２が軒桁２５上に載置された状態で設置されており、下弦材３２が連結金具３９を介して軒桁２５に対して固定されている。
【００３４】
建物本体１１上において建物桁方向の両端部にはそれぞれ妻壁３７が設置されている。妻壁３７は、外壁パネル２１上に載置された状態で設置されており、屋根トラス３０に対して平面視で平行となる向きで配置されている。妻壁３７は、屋根トラス３０と同じ略二等辺三角形状に形成されており、その大きさ（正面視の大きさ）が屋根トラス３０よりも一回り小さくなっている。
【００３５】
屋根裏界壁２０は、隣り合う２つの屋根トラス３０の間に設けられており、屋根トラス３０に対して平面視で平行となる向きで配置されている。図３に屋根裏界壁２０の構成を示す。図３において（ａ）が屋根裏界壁２０の構成を示す正面図であり、（ｂ）が同構成を示す横断面図である。なお、図３（ｂ）は図３（ａ）のＡ−Ａ線断面図に相当する。
【００３６】
図２及び図３に示すように、屋根裏界壁２０は、屋根トラス３０と同じ略二等辺三角形状に形成されている。屋根裏界壁２０は、その大きさ（壁面正面視の大きさ）が屋根トラス３０よりも一回り小さくなっており、妻壁３７と同じ大きさで形成されている。
【００３７】
屋根裏界壁２０は、界壁フレーム４１と、界壁フレーム４１を挟んで両側に設けられた一対の石膏ボード４２と、界壁フレーム４１の内部に設けられたロックウール４３とを備える。界壁フレーム４１は、屋根の傾斜方向に沿って異なる方向に延びる一対の斜材４５と、それら各斜材４５の下端部に跨がって延びる横材４６とを備え、それら斜材４５及び横材４６が互いに連結されることにより全体として略二等辺三角形状をなしている。斜材４５及び横材４６はそれぞれ溝形鋼よりなり、互いの溝開口を内側に向けた状態で配置されている。なお、界壁フレーム４１においては、屋根トラス３０とは異なり、斜材４５が横材４６よりも斜め下向きに延出していない。
【００３８】
界壁フレーム４１は、さらに斜材４５と横材４６との間に設けられ、それら斜材４５及び横材４６を上下に繋ぐ複数の縦材４７を備える。縦材４７はリップ溝形鋼（いわゆるＣ形鋼）よりなり、その幅寸法（詳しくはウェブ部の長さ）が横材４６及び斜材４５の幅寸法（詳しくはウェブ部の長さ）よりも小さくなっている。
【００３９】
縦材４７は、そのウェブ部を互いに向き合わせた状態で設けられる２つの縦材４７ａ，４７ｂを一組として、複数組の縦材４７ａ，４７ｂが屋根裏界壁２０の横幅方向（横材４６の長手方向）に沿って所定の間隔で配置されている。この場合、２つの縦材４７ａ，４７ｂは、屋根裏界壁２０の厚み方向に位置をずらして配置されている。
【００４０】
石膏ボード４２は優れた耐火性能及び遮音性能を有しており、界壁フレーム４１と同じ大きさでかつ同じ形状を有して形成されている。界壁フレーム４１を挟んで両側の各石膏ボード４２のうち一方は当該界壁フレーム４１において縦材４７ａのフランジ部にビス等で固定され、他方は縦材４７ｂのフランジ部にビス等で固定されている。なおここで、石膏ボード４２が壁面材に相当する。
【００４１】
ロックウール４３は、優れた耐火性能や防音性能を有する繊維状部材である。ロックウール４３は、界壁フレーム４１において各フレーム材４５〜４７により区画された複数の枠内スペースにそれぞれ配設されている。これにより、屋根裏界壁２０の耐火性能や防音性能が高められている。なお、図２では便宜上、ロックウール４３の図示を省略している。
【００４２】
界壁フレーム４１の斜材４５上には、同斜材４５に沿って所定の間隔で複数（具体的には４つ）の野地板支持材４９が設けられている。野地板支持材４９は、リップ溝形鋼（いわゆるＣ形鋼）よりなり、斜材４５に沿った長尺状とされている。各野地板支持材４９はそれぞれ斜材４５上において、その溝開口を屋根裏界壁２０の厚み方向の一方に向けた状態で配置されており、当該斜材４５の上面にビス等で固定されている。また、各野地板支持材４９のうち、最も軒先側に配置された野地板支持材４９はその一部が斜材４５の下端部よりも斜め下向きに延出しており、この延出した部分により屋根部１２の軒先部分が構成されている。
【００４３】
屋根裏界壁２０は、上述したように居室界壁１９上に設置されている。ここで、居室界壁１９について簡単に説明すると、居室界壁１９は、屋根裏界壁２０と同じ横幅を有する矩形板状に形成されている。居室界壁１９は、界壁フレーム５１と、界壁フレーム５１を挟んで両側に設けられた一対の石膏ボード５２と、界壁フレーム５１の枠内に組み込まれた図示しないロックウールとを備える。界壁フレーム５１は、横並びに設けられた複数の縦材５５と、それら各縦材５５の上下端部間にそれぞれ架け渡された一対の横材５６とを備え、それら縦材５５と横材５６とが互いに連結されることにより構成されている。具体的には、各縦材５５はそれぞれ屋根裏界壁２０の縦材４７の直下に配置され、各縦材４７と上下に並んで設けられている。
【００４４】
石膏ボード５２は、優れた耐火性能及び遮音性能を有している。各石膏ボード５２は、界壁フレーム５１と同じ大きさでかつ同じ形状で形成されており、界壁フレーム５１に対してビス等で固定されている。石膏ボード５２の表面には図示しないクロス等の壁仕上げ材が貼り付けられ、この壁仕上げ材により居室界壁１９の仕上げ面が形成されている。
【００４５】
かかる居室界壁１９上に屋根裏界壁２０が設置された状態では、界壁フレーム４１の横材４６と界壁フレーム５１の横材５６（詳しくは界壁フレーム５１上端部の横材５６）とが互いにビス等で固定されており、これにより屋根裏界壁２０と居室界壁１９とが互いに連結されている。この場合、居室界壁１９と屋根裏界壁２０とが上下に連続して配置され、居室空間１５の床面から屋根裏空間１６に亘って上下に連続して延びる界壁１８が構築される。
【００４６】
また、かかる屋根裏界壁２０の設置状態では、界壁フレーム４１の斜材４５が屋根トラス３０の上弦材３１に対して平行に延びる向きで配置されている。また、斜材４５（詳しくは上フランジ部）の上面の高さ位置が上弦材３１（詳しくは上フランジ部）の上面の高さ位置よりも低くなっており、より詳しくは傾斜屋根部２８の傾斜面（屋根傾斜面）に対して直交する方向において斜材４５（詳しくは上フランジ部）の上面が上弦材３１の上面よりも下側に位置している（図５参照）。また、界壁フレーム４１の野地板支持材４９（詳しくはフランジ部）の上面が屋根トラス３０の上弦材３１の上面と同じ高さ位置に、詳しくは上弦材３１の上面と同一平面上に位置している。
【００４７】
以上のように、建物本体１１上には、複数の屋根トラス３０と、一対の妻壁３７と、複数の屋根裏界壁２０とが建物桁方向に沿って横並びで設けられており、平面視ではこれら各部材２０，３０，３７が互いに平行となって配置されている。これら各部材２０，３０，３７は所定の間隔で配置されており、詳しくは等間隔で配置されている。但し、これら各部材２０，３０，３７は必ずしも等間隔で配置する必要はなく、屋根の強度が確保できさえすれば各部材２０，３０，３７の配置間隔（ピッチ）は任意としてよい。そして、これら各部材２０，３０，３７の上には野地板４０が架け渡され、野地板４０の上には図示しない瓦等の拭き材が設けられている。
【００４８】
屋根部１２において横並びに設けられた各屋根トラス３０、各妻壁３７及び各屋根裏界壁２０は、転倒防止を図る等の目的で、連結材を介して互いに連結されている。以下、かかる連結構造について詳しく説明する。
【００４９】
複数の屋根トラス３０のうち屋根裏界壁２０を挟まずに隣り合う屋根トラス３０同士は、つなぎ材６１や雲筋交い６２を介して互いに連結されている。つなぎ材６１は、隣り合う屋根トラス３０同士を水平方向に連結する長尺状の連結材である。つなぎ材６１は、屋根トラス３０の上部及び下部にそれぞれ配置されている。屋根トラス３０の上部に配置されたつなぎ材６１ａは両端部がそれぞれ各屋根トラス３０の上弦材３１の下面に連結され、屋根トラス３０の下部に配置されたつなぎ材６１ｂは各屋根トラス３０の下弦材３２の上面に連結されている。
【００５０】
雲筋交い６２は、隣り合う屋根トラス３０を斜めに連結する長尺状の連結材である。雲筋交い６２は、その両端部がそれぞれ各屋根トラス３０の縦材４７に連結されている。この場合、つなぎ材６１及び雲筋交い６２はいずれも各屋根トラス３０に対してトラス内側で連結されるものとなっている。
【００５１】
また、隣り合って配置された屋根トラス３０と妻壁３７とについても、これと同様、つなぎ材６１及び雲筋交い６２を介して互いに連結されている。なお、妻壁３７上には野地板４０を支持するための支持材３８が建物桁方向に延びる向きで設けられており、その一端部が屋根トラス３０に連結されているとともに他端部が屋根部１２のけらば側に延出している。この支持材３８によって野地板４０をけらば側で支持するようになっている。
【００５２】
屋根裏界壁２０を挟んで隣り合う２つの屋根トラス３０の間には、屋根裏界壁２０の上方を跨いで界壁上屋根パネル６５が架け渡されている。これらの屋根トラス３０は界壁上屋根パネル６５を介して互いに連結されており、またこの界壁上屋根パネル６５には屋根裏界壁２０が連結されている。以下、界壁上屋根パネル６５を介した各屋根トラス３０と屋根裏界壁２０との連結構成について図４及び図５に基づいて説明する。図４は、界壁上屋根パネル６５の背面図であり、図５は界壁上屋根パネル６５の設置構成を示す断面図である。また、図５は、屋根の傾斜方向（換言すると上弦材３１や斜材４５の長手方向）と直交する方向で切断した断面図であり、図２のＢ−Ｂ線断面図に相当する。
【００５３】
なお、以下の説明では便宜上、界壁上屋根パネル６５を介して連結される２つの屋根トラス３０の符号にそれぞれＡ及びＢを付す。また、これらの屋根トラス３０Ａ，３０Ｂは、互いの上弦材３１及び下弦材３２のウェブ部を向き合わせた状態で配置されている。
【００５４】
図４に示すように、界壁上屋根パネル６５は、全体として矩形形状をなしている。界壁上屋根パネル６５は、矩形板状の野地板４０と、その裏面側に設けられた複数（具体的には２つ）の屋根フレーム６６とを備える。界壁上屋根パネル６５は、予め製造工場において製造されるものとなっており、これにより施工現場での作業負担の軽減が図られている。なお、以下の説明では便宜上、界壁上屋根パネル６５を構成する野地板４０の符号にＡを付すこととする。
【００５５】
屋根フレーム６６は、矩形枠状をなしており、野地板４０の幅方向に沿って互いに平行に延びる一対の横フレーム材６７と、各横フレーム材６７の端部同士を連結する一対の傾斜フレーム材６８とを備える。横フレーム材６７と傾斜フレーム材６８とはいずれもリップ溝形鋼（いわゆるＣ形鋼）よりなる。各横フレーム材６７はいずれも溝開口をそれら横フレーム材６７の並ぶ並び方向の一方側に向けて配置され、各傾斜フレーム材６８は互いの溝開口を向き合わせて配置されている（図５も参照）。そして、横フレーム材６７と傾斜フレーム材６８とは図示しないアングル等の連結部材を介して互いに連結されている。なおここで、横フレーム材６７がトラス連結材に相当する。
【００５６】
２つの屋根フレーム６６は、各横フレーム材６７の並ぶ並び方向において所定の間隔を隔てて並べられている。この場合、各屋根フレーム６６の各々の横フレーム材６７、計４つの横フレーム材６７がそれぞれ横並びに配置され、各屋根フレーム６６の各々の傾斜フレーム材６８が一列に並んで配置されている。
【００５７】
野地板４０Ａは、例えばパーティクルボードよりなる。野地板４０Ａは、その横幅、詳しくは横フレーム材６７の長手方向における横幅が屋根フレーム６６の同方向の横幅よりも大きくなっている。野地板４０Ａは、当該横幅方向の両端部をそれぞれ屋根フレーム６６に対して側方に延出させた状態で同フレーム６６にビス等で固定されている。この場合、野地板４０Ａにおいて屋根フレーム６６から延出した上記の部分は延出部７０となっており、この延出部７０が引っ掛け部に相当するものとなっている。なお、野地板４０Ａは、図示のように複数枚に分割して構成されていてもよい。
【００５８】
図２及び図５に示すように、界壁上屋根パネル６５は、横フレーム材６７が建物桁方向に沿って延び、かつ、傾斜フレーム材６８が屋根（傾斜屋根部２８）の傾斜方向（すなわち屋根トラス３０の上弦材３１の長手方向）に沿って延びる向きで、隣り合う屋根トラス３０Ａ，３０Ｂの間に架け渡されて設けられている。この場合、界壁上屋根パネル６５は、野地板４０Ａの各延出部７０をそれぞれ屋根トラス３０Ａ，３０Ｂの上弦材３１（詳しくはそのフランジ部）の上面に載置した状態で架け渡されている。
【００５９】
かかる界壁上屋根パネル６５の架け渡し状態では、各屋根フレーム６６がそれぞれ各屋根トラス３０Ａ，３０Ｂの間に配設されている。この場合、屋根フレーム６６における各傾斜フレーム材６８のウェブ部６８ａが屋根トラス３０Ａ，３０Ｂの上弦材３１のウェブ部３１ａ（側面部に相当）と対向配置されており、それら対向し合うウェブ部３１ａ，６８ａ同士がビス等で互いに連結されている。これにより、屋根フレーム６６がそれぞれ各屋根トラス３０Ａ，３０Ｂに固定され、ひいては屋根フレーム６６を介して各屋根トラス３０Ａ，３０Ｂが互いに固定されている。また、野地板４０Ａの各延出部７０はそれぞれ屋根トラス３０Ａ，３０Ｂの上弦材３１の上面にビス等で固定されている。
【００６０】
なお、界壁上屋根パネル６５の設置状態では、各屋根フレーム６６がそれぞれ各屋根トラス３０Ａ，３０Ｂにおける斜材３３及び束材３４を挟んで両側に配置されている。すなわち、本界壁上屋根パネル６５では、各屋根フレーム６６の位置が斜材３３及び束材３４と干渉しない位置に設定されている。
【００６１】
また、界壁上屋根パネル６５は、屋根裏界壁２０上に載置された状態で設置されている。この場合、界壁上屋根パネル６５において各屋根フレーム６６の各々の横フレーム材６７がそれぞれ界壁フレーム４１の斜材４５上に載置されている。具体的には、各横フレーム材６７がそれぞれ斜材４５上において各野地板支持材４９の間に配設されている。この場合、斜材４５上では各横フレーム材６７と各野地板支持材４９とが斜材４５の長手方向に沿って交互に並べて配置されている。
【００６２】
互いに交差（詳しくは直交）する向きで配置された横フレーム材６７と野地板支持材４９とはＬ字状のアングル部材７１を介して互いに連結されている。アングル部材７１は、直角をなす２つの板部７１ａ，７１ｂのうち一方の板部７１ａが横フレーム材６７のウェブ部６７ａにビス等で固定され、他方の板部７１ｂが野地板支持材４９のウェブ部４９ａにビス等で固定されている。これにより、アングル部材７１を介して横フレーム材６７と野地板支持材４９とが連結されており、ひいては野地板支持材４９を介して屋根フレーム６６（ひいては界壁上屋根パネル６５）と界壁フレーム４１とが連結されている。
【００６３】
また、界壁上屋根パネル６５の野地板４０Ａは屋根裏界壁２０の各野地板支持材４９の上面に載置されており、これら各野地板支持材４９の上面に対してビス等で固定されている。
【００６４】
以上、詳述した本実施形態の構成によれば、以下の優れた効果が得られる。
【００６５】
屋根裏界壁２０を挟んで隣り合う２つの屋根トラス３０Ａ，３０Ｂを連結する横フレーム材６７（ひいては屋根フレーム６６）を屋根裏界壁２０の上方を跨いで設けるとともに、その横フレーム材６７を屋根裏界壁２０の界壁フレーム４１に連結した。つまり、２つの屋根トラス３０Ａ，３０Ｂと屋根裏界壁２０との３者を横フレーム材６７を介して互いに連結した。そのため、この横フレーム材６７によりこれら３者の転倒防止が図られている。そして、この横フレーム材６７は、屋根裏界壁２０の上方を跨いで設けられているため、屋根裏界壁２０において界壁フレーム４１に石膏ボード４２を取り付けるにあたり横フレーム材６７が邪魔になることがない。したがって、石膏ボード４２を界壁フレーム４１に取り付けるにあたり、石膏ボード４２に横フレーム材６７との干渉を回避するための切り欠きを形成する加工作業を行わなくて済むため、屋根裏界壁２０を構築する上で施工工数の低減を図ることができる。
【００６６】
また、横フレーム材６７を屋根裏界壁２０の下方に配置する構成としても横フレーム材６７が石膏ボード４２と干渉するのを回避することは可能であるが、その場合、横フレーム材６７が居室界壁１９と屋根裏界壁２０との境界部に配置されることとなるため、それら各界壁１９，２０の連続性が横フレーム材６７によって断たれてしまうおそれがある。その場合、耐火性能の面で不利となる。この点、横フレーム材６７を屋根裏界壁２０の上方に配置する構成では、屋根裏界壁２０と居室界壁１９との連続性を確保することができ、各界壁１９，２０の石膏ボード４２，５２を上下に継ぎ目なく配置することができる。そのため、上記の不都合を回避しつつ、屋根裏界壁２０を構築するに際し施工工数低減を図ることができる。
【００６７】
界壁フレーム４１の斜材４５の上面を屋根トラス３０の上弦材３１の上面よりも低い位置に設定し、横フレーム材６７を斜材４５上に載置して当該斜材４５に連結するとともに、その両端部をそれぞれ各屋根トラス３０Ａ，３０Ｂの上弦材３１のウェブ部３１ａ（側面部に相当）に連結した。この場合、横フレーム材６７を上弦材３１と同じ高さ位置に配置することが可能となるため、上弦材３１上及び横フレーム材６７上に跨がって野地板４０を設置することが可能となる。
【００６８】
横フレーム材６７の上面を屋根トラス３０の上弦材３１の上面と同一平面上に位置させることで野地板４０Ａを載置する載置面とした。この場合、屋根裏界壁２０と各屋根トラス３０Ａ，３０Ｂとを連結するための横フレーム材６７を、野地板４０Ａを載置するための支持部材として兼用することができるため、横フレーム材６７の多機能化を図ることができる。また、野地板４０Ａの荷重を横フレーム材６７を介して屋根裏界壁２０に伝えることができるため、屋根裏界壁２０によっても野地板４０Ａの荷重の一部を支えることができる。そのため、屋根裏界壁２０の設置箇所だけ野地板４０の支持強度が低下してしまうのを抑制することができる。
【００６９】
横フレーム材６７を屋根傾斜方向（上弦材３１の長手方向）に沿って所定の間隔で複数配置し、それら各横フレーム材６７の端部同士を傾斜フレーム材６８を介して連結することで屋根フレーム６６を形成した。そして、その屋根フレーム６６の各傾斜フレーム材６８をそれぞれ各屋根トラス３０Ａ，３０Ｂの上弦材３１のウェブ部３１ａに固定した。この場合、屋根フレーム６６を介して隣り合う屋根トラス３０Ａ，３０Ｂの上弦材３１同士が連結されるため、屋根トラス３０Ａ，３０Ｂ同士を強固に連結することが可能となる。また、屋根フレーム６６は屋根裏界壁２０の界壁フレーム４１にも連結されるため、屋根裏界壁２０の支持強度を高めることもできる。
【００７０】
界壁フレーム４１の斜材４５上において横フレーム材６７が連結された連結部位とは異なる部位に野地板４０Ａを下方から支持する野地板支持材４９を取り付けた。この場合、斜材４５の上面を野地板４０が載置される上弦材３１の上面よりも低くした構成にあって、野地板４０Ａの荷重を野地板支持材４９を介して屋根裏界壁２０により支持することができる。これにより、屋根裏界壁２０の設置部分だけ野地板４０の支持強度が低下してしまうのを抑制することができる。
【００７１】
複数の横フレーム材６７と、それら各横フレーム材６７上に跨がって設けた野地板４０Ａとを含んで界壁上屋根パネル６５を構成したため、製造工場において界壁上屋根パネル６５を製造しておけば、施工時にはその界壁上屋根パネル６５を屋根裏界壁２０を挟んで隣り合う２つの屋根トラス間３０Ａ，３０Ｂに設置するだけで複数の横フレーム材６７を一挙に屋根トラス３０Ａ，３０Ｂ間に配設することができる。これにより、横フレーム材６７を複数用いる構成にあって施工工数を大いに削減することができる。
【００７２】
また、界壁上屋根パネル６５において、野地板４０Ａには横フレーム材６７の両端に対してそれぞれ側方に延出するとともに各屋根トラス３０Ａ，３０Ｂの上弦材３１上に引っ掛けられる一対の延出部７０（引っ掛け部に相当）を設けた。これにより、各延出部７０をそれぞれ各屋根トラス３０Ａ，３０Ｂの上弦材３１上に引っ掛けることで、界壁上屋根パネル６５を各屋根トラス３０Ａ，３０Ｂの間に架け渡すことができるため、施工時にはかかる架け渡し状態で界壁上屋根パネル６５を屋根トラス３０Ａ，３０Ｂや屋根裏界壁２０（界壁フレーム４１）に連結する作業を行える。これにより、施工作業をより一層容易なものとすることができる。
【００７３】
斜材４５上には、野地板支持材４９と横フレーム材６７とをそれぞれ複数ずつ設け、それら複数の野地板支持材４９と複数の横フレーム材６７とを斜材４５の長手方向に沿って交互に並べた。この場合、界壁上屋根パネル６５を各屋根トラス３０Ａ，３０Ｂの間に架け渡した状態において、各横フレーム材６７がそれぞれ隣り合う野地板支持材４９の間に配置されるため、界壁上屋根パネル６５が屋根の傾斜に沿ってずれ落ちるのを防止することができる。このため、界壁上屋根パネル６５の設置に際し、当該屋根パネル６５をずれ落ちないように支えるといった煩わしい作業を行う必要がなくなりその設置作業を好適に行うことが可能となる。
【００７４】
界壁上屋根パネル６５を、横フレーム材６７と傾斜フレーム材６８とを矩形枠状に連結してなる屋根フレーム６６を含んで構成したため、界壁上屋根パネル６５の剛性を高めることができる。これにより、界壁上屋根パネル６５の設置作業時や搬送時に当該屋根パネル６５が変形するといった不都合が生じるのを抑制することができる。
【００７５】
横フレーム材６７と野地板支持材４９とを互いに交差（直交）するように配置し、それら両部材４９，６７のウェブ部４９ａ，６７ａ（側面部）同士をＬ字状のアングル部材７１を介して連結した。この場合、横フレーム材６７と界壁フレーム４１とが野地板支持材４９を介して互いに連結される。ここで界壁上屋根パネル６５を製造工場にて製造し、施工現場にて同パネル６５を設置することで複数の横フレーム材６７を屋根トラス３０Ａ，３０Ｂ間に配置する上述の構成では、界壁上屋根パネル６５を設置後、横フレーム材６７を界壁フレーム４１（斜材４５）に上方から連結する際、野地板４０が邪魔となって作業がしにくいことが考えられる。この点、横フレーム材６７と野地板支持材４９とをアングル部材７１を介して連結する構成では、野地板４０の下方（屋根裏空間）にて横フレーム材６７及び野地板支持材４９に対して側方から連結作業を行うことができるため、作業性の面で好ましい構成といえる。
【００７６】
本発明は上記実施形態に限らず、例えば次のように実施されてもよい。
【００７７】
（１）上記実施形態では、トラス連結材としての横フレーム材６７を各屋根トラス３０Ａ，３０Ｂの上弦材３１のウェブ部３１ａ（側面部に相当）に連結したが、これを変更して、各屋根トラス３０Ａ，３０Ｂの上弦材３１の下面部（つまり下フランジ部）に連結してもよい。屋根裏界壁２０の大きさを上記実施形態のものよりもさらに小さくすれば、かかる連結構成とすることも可能である。すなわち、かかる連結構成としても横フレーム材６７を屋根裏界壁２０の上方を跨いで配置することが可能である。
【００７８】
また、かかる構成では、横フレーム材６７の上面が屋根トラス３０の上弦材３１の上面よりも低い位置に配置されることとなるため、横フレーム材６７上に別途野地板支持材を設け、同支持材の上に野地板４０を載置するようにしてもよい。そうすれば、かかる構成であっても横フレーム材６７により野地板４０を下方から支持することができる。また、かかる支持材を設けないで横フレーム材６７により野地板４０を下方から支持しない構成としてもよい。
【００７９】
（２）上記実施形態では、屋根裏界壁２０上に、野地板４０Ａを下方から支持する野地板支持材４９を設けたが、野地板支持材４９は必ずしも設ける必要はない。すなわち、横フレーム材６７だけで野地板４０Ａを十分に支えることができるのであれば、野地板支持材４９を不具備としてもよい。但し、横フレーム材６７は屋根部１２の軒先側には設けられていないため、横フレーム材６７だけによる野地板４０Ａ支持の構成とすると、野地板４０Ａを軒先側で十分に支持することができないおそれがある。その点を鑑みると、各野地板支持材４９のうち、少なくとも軒先側の野地板支持材４９については設けるのが望ましい。
【００８０】
（３）上記実施形態では、屋根裏界壁２０の界壁フレーム４１を屋根トラス３０とは異なる構成としたが、界壁フレームを屋根トラスにより構成してもよい。例えば、界壁フレームを屋根トラス３０と同じキングポストトラスにより構成し、その大きさを屋根トラス３０よりも一回り小さくすることが考えられる。この場合でも、各屋根トラス３０Ａ，３０Ｂを連結する横フレーム材６７を屋根裏界壁上を跨いで配置することができ、当該屋根裏界壁の界壁フレーム上に連結することができる。
【００８１】
（４）上記実施形態では、屋根裏界壁２０と屋根トラス３０Ａとの間隔、及び屋根裏界壁２０と屋根トラス３０Ｂとの間隔をそれぞれ（屋根裏界壁２０を挟まずに）隣り合う屋根トラス３０の間隔と同じとしたが、これを変更してもよい。具体的には図６に示すように、屋根裏界壁２０と屋根トラス３０Ａとの間隔をＰ１，屋根裏界壁２０と屋根トラス３０Ｂとの間隔をＰ２、屋根裏界壁２０を挟まずに隣り合う屋根トラス３０の間隔をＰとした場合、Ｐ１＋Ｐ２≦２Ｐ、かつ、０．５Ｐ≦Ｐ１，Ｐ２≦１．０Ｐの条件を満たしさえすれば、Ｐ１及びＰ２の大きさは任意としてよい。かかるピッチ条件を満たしさえすれば屋根トラス３０Ａ，３０Ｂ及び屋根裏界壁２０の支持強度を好適に確保することができる。なお、かかるピッチ条件を満たさない範囲でＰ１とＰ２の大きさを設定してもよい。
【００８２】
（５）上記実施形態では、各横フレーム材６７を傾斜フレーム材６８を介して屋根トラス３０Ａ，３０Ｂの上弦材３１のウェブ部３１ａに連結したが、傾斜フレーム材６８を設けずに各横フレーム材６７を直接上弦材３１のウェブ部３１ａにアングル部材等を介して連結するようにしてもよい。
【００８３】
（６）上記実施形態では、野地板４０、横フレーム材６７及び傾斜フレーム材６８を界壁上屋根パネル６５としてユニット化し、同パネル６５を製造工場で予め製造するようにしたが、これを変更して、野地板４０、横フレーム材６７、傾斜フレーム材６８をそれぞれ施工現場において個別に設置するようにしてもよい。つまり、施工現場では、まず傾斜フレーム材６８を各屋根トラス３０Ａ，３０Ｂの上弦材３１に取り付け、その後対向する各傾斜フレーム材６８に対して各横フレーム材６７の両端部を連結するとともにそれら横フレーム材６７を屋根裏界壁２０の界壁フレーム４１に連結し、最後に野地板４０をそれら横フレーム材６７上に跨がるように設置固定するようにしてもよい。この場合にも、横フレーム材６７を介して各屋根トラス３０Ａ，３０Ｂと屋根裏界壁２０とを互いに連結することができる。
【００８４】
また、このように各部材４０，６７，６８を個別に設置する場合であっても、斜材４５上に複数の野地板支持材４９と複数の横フレーム材６７とが斜材４５の長手方向に沿って交互に並べられている構成では、施工の際まず斜材４５上に各野地板支持材４９を取り付け、その後斜材４５上にて隣り合う野地板支持材４９同士の間に各横フレーム材６７をそれぞれ配置していけば、各横フレーム材６７の設置位置が自ずと定まるため、横フレーム材６７の位置決め作業を不要とすることができる。したがって、施工工数の増大を抑制することができる。
【００８５】
なお、この場合、各屋根トラス３０Ａ，３０Ｂの上弦材３１のウェブ部３１ａに横フレーム材６７の端部を支持するフレーム支持部材を設けてもよい。そうすれば、各屋根トラス３０Ａ，３０Ｂのフレーム支持部材上に横フレーム材６７の両端部を載置させることで横フレーム材６７を各屋根トラス３０Ａ，３０Ｂ間に架け渡すことができるため、横フレーム材６７の設置作業を容易にすることができる。
【００８６】
（７）上記実施形態では、屋根裏界壁２０を挟まずに隣り合う屋根トラス３０同士についてはトラス内側に配置されたつなぎ材６１や雲筋交い６２を介して連結したが、これらの屋根トラス３０の連結についても、屋根裏界壁２０を挟んで隣り合う屋根トラス３０Ａ，３０Ｂ同士の連結と同様に、各トラス３０の上弦材３１のウェブ部３１ａ（側面部）同士を横フレーム材（第２トラス連結材に相当）を介して連結するようにしてもよい。そうすれば、隣り合う屋根トラス３０同士の連結構成を両者３０の間に屋根裏界壁２０が存在するか否かにかかわらず同じとすることができるため、施工作業性の点から都合がよい。
【００８７】
（８）例えば図７に示すように、屋根裏界壁２０を挟んで隣り合う各屋根トラス３０Ａ，３０Ｂをそれぞれ各々のトラス３０Ａ，３０Ｂの斜材３３及び束材３４が互いに反対側（外側）を向くようにして設置すれば、界壁上屋根パネル６５の屋根フレーム６６について斜材３３及び束材３４との干渉を配慮する必要がなくなるため、屋根フレーム６６を例えば図８に示すような構成とすることが可能となる。図８に示す界壁上屋根パネル７５には、上記実施形態の界壁上屋根パネル６５とは異なり、屋根フレーム８０が１つだけ設けられている。屋根フレーム８０は、矩形枠状をなしており、野地板４０の幅方向に沿って互いに平行に延びる一対の横フレーム材８１と、各横フレーム材８１の端部同士を連結する一対の傾斜フレーム材８２とを備える。界壁上屋根パネル７５は、図７に示すように、各屋根トラス３０Ａ，３０Ｂの間に架け渡され、その架け渡された状態において屋根フレーム８０の各傾斜フレーム材８２が各屋根トラス３０Ａ，３０Ｂの上弦材３１の側面部に固定されている。つまり、この場合傾斜フレーム材８２が斜材３３及び束材３４と干渉することなく、界壁上屋根パネル７５が設置されている。この場合、屋根フレーム８０の構成を簡素化することが可能となる。
【００８８】
（９）近年では、例えば建物の二階部分において以前子供部屋等として用いていた空き部屋を改装し賃貸することが行われている。この場合、事後的に屋根裏空間に界壁を設置する必要が生じうる。そのため、このような場合に既設の建物に上記実施形態の屋根構造を適用して屋根裏界壁２０を事後的に構築するようにしてもよい。
【００８９】
（１０）上記実施形態では、切妻式の屋根に対して本発明を適用したが、寄せ棟式の屋根などその他の形状の屋根に本発明を適用してもよい。例えば寄せ棟式の屋根においては、大棟の下方において本発明の屋根構造を適用することができる。また、上記実施形態では、スチールハウスの建物への適用例を説明したが、鉄骨軸組工法により構築される建物や、在来木造工法により構築される建物等、他の構造の建物に本発明を適用してもよい。
【符号の説明】
【００９０】
１０…建物、１１…建物本体、１２…屋根部、１４…住戸、２０…屋根裏界壁、３０…屋根トラス、３１…上弦材、３２…下弦材、４１…界壁フレーム、４２…壁面材としての石膏ボード、４０…野地板、４５…斜材、４９…野地板支持材、６５…界壁上屋根パネル、６７…トラス連結材及び第１トラス連結材としての横フレーム材、６８…傾斜フレーム材。
【図１】
0005975708.tif 000002
【図２】
0005975708.tif 000003
【図３】
0005975708.tif 000004
【図４】
0005975708.tif 000005
【図５】
0005975708.tif 000006
【図６】
0005975708.tif 000007
【図７】
0005975708.tif 000008
【図８】
0005975708.tif 000009